(57)【要約】【課題】この発明は、パイル抜けを防止できるパイル製織方法及び同方法により製織したパイル織物に関する。【解決手段】地よこ糸に地たて糸とともにパイルたて糸を編成するパイル製織方法において、前記地よこ糸には撚った後に撚り止め処理を施して撚り機能を停止させ、この地よこ糸を用いて製織した後に前記地よこ糸の撚り止めを解除する撚り止め解除処理を施すことにより前記地よこ糸の撚り機能を回復してパイルたて糸のパイル抜けを防止する。地たて糸は、地よこ糸２本毎に互い違いに係合させ、パイルたて糸は、隣接する地よこ糸２本に互い違いに係合させると共に、これらの２本の地よこ糸の両側に位置する２本の地よこ糸に何ら係合することなくパイルたて糸をパイル状に製織する。【選択図】図２
2006283220.tif 000002
【特許請求の範囲】
【請求項１】
地よこ糸に地たて糸とともにパイルたて糸を編成するパイル製織方法において、
前記地よこ糸には撚った後に撚り止め処理を施して撚り機能を停止させ、この地よこ糸を用いて製織した後に前記地よこ糸の撚り止めを解除する撚り止め解除処理を施すことにより前記地よこ糸の撚り機能を回復してパイルたて糸のパイル抜けを防止することを特徴とするパイル製織方法。
【請求項２】
前記地たて糸は、地よこ糸２本毎に互い違いに係合させ、前記パイルたて糸は、隣接する地よこ糸２本に互い違いに係合させると共に、これらの２本の地よこ糸の両側に位置する２本の地よこ糸に何ら係合することなくパイルたて糸をパイル状に製織することを特徴とする請求項１に記載の発明のパイル製織方法。
【請求項３】
請求項１に記載のパイル製織方法により製織したパイル織物。
【請求項４】
請求項２に記載のパイル製織方法により製織したパイル織物。
【発明の詳細な説明】
【技術分野】
【０００１】
この発明は、パイル抜けを防止できるパイル製織方法及び同方法により製織したパイル織物に関する。
【背景技術】
【０００２】
従来、タオル織物などのようにパイル糸を用いて製織したパイル織物がある。かかるパイル織物は、パイルたて糸が地よこ糸一本と係合し、この係合した地よこ糸に隣接する二本の地よこ糸部分で反転してパイル状に製織される。
【０００３】
従って、パイルたて糸が地よこ糸一本との係合であるためにパイルたて糸がたるんだり、抜けたりするおそれがあった。
【０００４】
そこで、パイル糸の引き抜けなどを防止するためにパイル製織方法に種々の工夫が凝らされており、例えば、タオル織物を構成する地たて糸と地よこ糸の一部にウール糸を使用し、タオル製織後に洗浄工程など水中にて処理することによりウールのスチールを互いに絡み合わせて生地をフェルト化し、元の状態に復元することを防止するとともに、収縮作用によって糸との絡みを強固にし、織物上での地たて糸と地よこ糸の自由度を低下させてパイル糸の引き抜けを防止している（たとえば、特許文献１参照。）。
【０００５】
また、よこ糸３本で形成する短パイル組織中によこ糸６本で輪奈を形成する長パイル組織を織成し、長パイル組織のたて糸は一方の長パイル２つのうち各１つをよこ糸に跨って交互に交差させるようにしてパイル割れをなくすことによりパイル抜けを防止している（たとえば、特許文献２参照。）。
【０００６】
また、たて糸として地たて糸とパイル糸を交互に配置すると共に、３本のよこ糸を使用して製織し、パイル糸の両側の２本の地経糸に同一開口運動をさせて、縦横方向の張力を受け相互に接近するようにし、その間に配置された各パイル糸を両側から挟持させてパイル抜け防止をはかるものがある（たとえば、特許文献３参照。）。
【特許文献１】特開２００３−２０１６６６号公報
【特許文献２】特開平１０−１９５７３５号公報
【特許文献３】特開平５−２３０７３８号公報
【発明の開示】
【発明が解決しようとする課題】
【０００７】
ところが、このようなパイル抜け防止の技術は、いずれも従来のものに比しパイル抜け防止効果は上るものの、余分な糸を用いるため製織工程が煩雑になったり、風合いを損ねることになったり、製織後の収縮が過度になり、全体の風合いに支障を及ぼすなどの欠点があった。
【０００８】
本発明者らは、比較的簡単な工程で製織可能で、風合いを損ねたり、製織後の収縮が過度になったりすることのないパイル織物を製造可能なパイル製織方法の開発を行い、本発明を成すに至ったものである。
【課題を解決するための手段】
【０００９】
請求項１に記載の発明では、地よこ糸に地たて糸とともにパイルたて糸を編成するパイル製織方法において、前記地よこ糸には撚った後に撚り止め処理を施して撚り機能を停止させ、この地よこ糸を用いて製織した後に前記地よこ糸の撚り止めを解除する撚り止め解除処理を施すことにより前記地よこ糸の撚り機能を回復してパイルたて糸のパイル抜けを防止することとした。
【００１０】
請求項２に記載の発明は、請求項１記載のパイル製織方法において、前記地たて糸は、地よこ糸２本毎に互い違いに係合させると共に、前記パイルたて糸は、隣接する地よこ糸２本に互い違いに係合させると共に、これらの２本の地よこ糸の両側に位置する２本の地よこ糸に何ら係合することなくパイルたて糸をパイル状に製織することとした。
【００１１】
請求項３に記載の発明は、請求項１のパイル織方法により製織したパイル織物に関する。
【００１２】
請求項４に記載の発明は、請求項２のパイル織方法により製織したパイル織物に関する。
【発明の効果】
【００１３】
請求項１及び請求項３に記載の発明によれば、地よこ糸に地たて糸とともにパイルたて糸を編成するパイル製織方法において、前記地よこ糸には撚った後に撚り止め処理を施して撚り機能を停止させ、この地よこ糸を用いて製織した後に前記地よこ糸の撚り止めを解除する撚り止め解除処理を施すことにより前記地よこ糸の撚り機能を回復してパイルたて糸Ｍのパイル抜けを防止することによって、撚りによる収縮作用によってパイルたて糸と地よこ糸との製織時の接触面積を増大させてパイルたて糸の抜けを確実に防止でき、しかも製織後の収縮が過度となったり、全体の風合いに支障を及ぼしたりすることのないパイル織物の製造方法及びパイル織物を提供できる。
【００１４】
請求項２及び請求項４に記載の発明によれば、地たて糸は、地よこ糸２本毎に互い違いに係合させ、パイルたて糸は、隣接する地よこ糸２本に互い違いに係合させると共に、これらの２本の地よこ糸の両側に位置する２本の地よこ糸に何ら係合することなくパイルたて糸をパイル状に製織することによって、撚り止め解除処理による地よこ糸の撚り機能を回復にともなって生じる収縮作用により地たて糸とパイルたて糸との接触も緊密として接触抵抗を増大させることができるので、パイルたて糸の抜けを可及的に防止することができるパイル織物の製造方法及びパイル織物を提供できる。
【発明を実施するための最良の形態】
【００１５】
この発明のパイル製織方法及びパイル織物は、地よこ糸に地たて糸とともにパイルたて糸を編成するパイル製織方法において、前記地よこ糸には撚った後に撚り止め処理を施して撚り機能を停止させ、この地よこ糸を用いて製織した後に前記地よこ糸の撚り止めを解除する撚り止め解除処理を施すことにより前記地よこ糸の撚り機能を回復してパイルたて糸Ｍのパイル抜けを防止しているものである。
【００１６】
さらに、地たて糸は、地よこ糸２本毎に互い違いに係合させ、パイルたて糸は、隣接する地よこ糸２本に互い違いに係合させると共に、これらの２本の地よこ糸の両側に位置する２本の地よこ糸に何ら係合することなくパイルたて糸をパイル状に製織しているものである。
【００１７】
この発明の実施例を図面に基づき詳細に説明すると、図１は、本発明のパイル製織方法により製織したパイル織物の組織図を示すものであり、図２は、図１のＩ−Ｉ断面説明図である。
【００１８】
図１の組織図において、Ｐはパイル織物を示し、パイル織物ＰのうちＰ１、Ｐ２、Ｐ３、Ｐ４・・・・Ｐｎは隣接する地よこ糸を示し、地よこ糸Ｐ１〜Ｐｎに対しては、地たて糸Ｑ１、Ｑ２、Ｑ３、Ｑ４・・・・Ｑｎを地よこ糸２本毎に互い違いとなるように表裏に係合させて織地を編成している。
【００１９】
このパイル織物Ｐにおいて、パイルたて糸Ｍが編成されてパイル織物としている。パイルたて糸Ｍは、隣接する地よこ糸Ｐ１、Ｐ２の２本に表裏で互い違いに係合させると共に、これらの２本の地よこ糸Ｐ１、Ｐ２の両側に位置する２本の地よこ糸Ｐ３、Ｐ４とＰ５、Ｐ６に何ら係合することなくパイルたて糸Ｍをパイル状に製織している。
【００２０】
従って、パイルたて糸Ｍは、左側の２本の地よこ糸Ｐ３、Ｐ４によって裏側でパイルが形成されており、右側の２本の地よこ糸Ｐ５、Ｐ６によって表側でパイルが形成されている。
【００２１】
このように、パイルたて糸Ｍが隣接する地よこ糸Ｐ１、Ｐ２の２本に表裏で互い違いに係合させる状態と、その両側のそれぞれの２本の地よこ糸Ｐ３、Ｐ４にパイル状となるようにパイルたて糸Ｍを編成する状態とが交互に左右に連結して編成されることにより、パイル織りが完成される。
【００２２】
しかも、地よこ糸Ｐ１・・・・Ｐｎは撚り状としており、撚りによる収縮を利用してパイルたて糸Ｍを固定し、抜けを防止している。
【００２３】
すなわち、別途設置した糸撚り機（図示しない）によって地よこ糸Ｐ１・・・・Ｐｎは製織前にあらかじめ撚っておくものである。
【００２４】
そして、地よこ糸Ｐ１・・・・Ｐｎは撚りによって生じる収縮作用を有することから、後述するように製織した後に撚り止めを解除することによってパイル織物は全体的に収縮し、パイルたて糸と地よこ糸Ｐ１・・・・Ｐｎとの接触面度を大きくして接触抵抗を増大させ、パイルたて糸Ｍの滑動による抜けを防止可能としている。
【００２５】
しかも、同時に地たて糸Ｑ１・・・・Ｑｎやパイルたて糸Ｍなどのたて糸同志の接触も緊密として接触抵抗を増大させることができるので、パイルたて糸Ｍの抜けを可及的に防止することができる。
【００２６】
このように撚り状とした地よこ糸Ｐ１・・・・Ｐｎは、パイルたて糸Ｍと地たて糸Ｑ１・・・・Ｑｎの接触密度、及び、地たて糸Ｑ１・・・・Ｑｎ同志の接触密度をそれぞれ増大させる機能を有することから、パイルたて糸Ｍの抜けを可及的に防止することができるものである。
【００２７】
特に、地よこ糸Ｐ１・・・・Ｐｎの撚りは、通常の撚糸が有する撚りより２倍以上の撚りを有するように構成しており、撚りが通常糸より２倍以上であるために単位長さ当りの糸の表面積も大きくすることができるので、その分、隣接する糸との接触密度を増大させることができ、接触抵抗を増大させてパイルたて糸Ｍの抜けを可及的に少くすることができる。ここで、本実施形態では、地よこ糸Ｐ１・・・・Ｐｎとして、１ｍあたり８００回以上の撚りを加えたいわゆる強撚糸を用いている。
【００２８】
なお、撚り状の地よこ糸Ｐ１・・・・Ｐｎは、製織前に撚り止め処理を施すと共に製織後に撚り止め解除処理を施している。
【００２９】
すなわち、製織前の地よこ糸Ｐ１・・・・Ｐｎでは、撚った後に撚り止め処理を施しており、撚り止め処理によって撚り機能が停止された地よこ糸Ｐ１・・・・Ｐｎを用いて製織作業を行うことにより製織作業を容易にすることができ、製織後には撚り止めを解除する撚り止め解除処理を施すことにより撚り機能を回復してパイルたて糸Ｍのパイル抜けを防止することができるようにしている。
【００３０】
次に、具体的に撚り止め処理と撚り止め解除処理について詳説する。
【００３１】
撚り止め処理は種々の方法があり、例えば撚り糸を蒸気で約３０分間加熱して撚り止めする方法、または、生糸の精錬工程でセリシンを少し残留させた撚り糸を使用して撚り止めを行う方法、または、澱粉やポリビニールアルコール（ＰＶＡ）等の水溶性糊を撚り糸に少量添加して撚り止めを行う方法等がある。
【００３２】
また、撚り止め解除処理は、撚り止め処理の方法に対応している。
【００３３】
すなわち、蒸気加熱による撚り止め処理に対しては、４０℃〜５０℃の湯中に浸漬して撚り止め解除処理を行う。また、セリシンを用いた撚り止め処理に対しては、湯に浸漬してセリシンを溶解したり、セリシン除去溶剤を用いることにより撚り止め解除処理を行う。また、水溶性糊を用いた撚り止め処理に対しては、糊分解酵素を溶解した湯中に浸漬して糊を除去する撚り止め解除処理を行う。
【００３４】
このように本件発明では、パイルたて糸Ｍを地よこ糸Ｐ１、Ｐ２の２本に互い違いに製織してその隣接する２本の地よこ糸Ｐ３、Ｐ４、Ｐ５、Ｐ６において、パイルを形成するようにしたので、より製織係合が緊密になってパイルたて糸Ｍの抜けを可及的に少なくし、更には撚り状とした地よこ糸Ｐ１・・・・Ｐｎを用いることにより製織後の織物の横方向の収縮作用を生起して、たて糸同志の接触を蜜とし、その分接触抵抗が大となりパイルたて糸Ｍの抜けがより防止されるものである。
【００３５】
上記した図１に示すパイル織物Ｐでは、１本のパイルたて糸Ｍに隣接させたパイルたて糸Ｍは、それぞれ地よこ糸Ｐ１〜Ｐｎに対して同じ係合状態としながら輪奈を形成しているが、パイル織物Ｐの横方向に沿ってパイル織物Ｐの表側に形成した輪奈と、パイル織物Ｐの裏側に形成した輪奈とを交互に配置するようにしてもよく、輪奈を適宜の位置に配置するようにしてもよい。
【図面の簡単な説明】
【００３６】
【図１】本発明のパイル織物の組織図
【図２】図１のＩ−Ｉ断面説明図
【符号の説明】
【００３７】
Ｐ  パイル織物
Ｍ  パイルたて糸
Ｐ１、Ｐ２、Ｐ３、Ｐ４・・・・Ｐｎ  地よこ糸
Ｑ１、Ｑ２、Ｑ３、Ｑ４・・・・Ｑｎ  地たて糸
【図１】
2006283220.tif 000003
【図２】
2006283220.tif 000004